(57)【特許請求の範囲】
【請求項１】
殺虫装置内の底部に取り付けられた超音波振動子の稼働により、前記殺虫装置内の薬液タンクから補充された薬液槽の液剤を微粒子化し、空間へ噴霧する装置において、
前記微粒子化された前記液剤の装置外への通り道となるダクトケース内部に、前記通り道が千鳥状となるようにして複数枚の遮蔽板を配置したことを特徴とする超音波式殺虫装置。
【請求項２】
前記各遮蔽板は、前記ダクトケース内部で、平面視隙間なく、各々交互に反対側の内壁面から突出している状態にして取り付けられた請求項１記載の超音波式殺虫装置。
【請求項３】
前記各遮蔽板は、前記ダクトケースの内径に対して６分の５以上の突出長さを有したものである請求項１または請求項２記載の超音波式殺虫装置。
【請求項４】
前記各遮蔽板は、５〜１０mmの間隔で上下方向に離れた状態にして取り付けられた請求項１〜３のいずれか１項記載の超音波式殺虫装置。
【請求項５】
前記各遮蔽板は、前記薬液槽の液面より５０〜１００mm離して取り付けられた請求項１〜４のいずれか１項記載の超音波式殺虫装置。
【請求項６】
前記各遮蔽板は、端部を下方にして１０〜２０度の角度で傾斜された状態にして前記ダクトケース内に取り付けられた請求項１〜５のいずれか１項記載の超音波式殺虫装置。
【発明の詳細な説明】
【０００１】
【発明の属する技術分野】
本発明は、殺虫用薬剤を室内に噴霧してゴキブリ等の害虫を駆除する超音波式殺虫装置に関するものである。
【０００２】
【従来の技術】
例えば、飲食店等においては、ゴキブリ等の害虫の駆除を、害虫駆除業者へ依頼し、定期的な薬剤散布等の消毒を行っている。
ところで、このように害虫駆除業者に害虫の駆除を依頼する場合、都合の良い時間に気軽に駆除作業を行うことが難しく、このため、自ら害虫駆除を行うことができる超音波式殺虫装置が用いられている。
この種の超音波式殺虫装置は、薬液が貯留された薬液タンクを有しており、この薬液タンク内の薬液を超音波振動子によって霧化させて外部へ噴霧させるようになっている。
【０００３】
【発明が解決しようとする課題】
しかしながら、この種の超音波式殺虫装置にあっては、噴霧させた薬液の粒子の径が均一とならず、特に、薬液の粘性が高い場合、粗大粒子が混在してしまうことがあった。
そして、このような粗大粒子が混在した薬液が噴霧されると、薬液が噴霧される殺虫装置の噴霧ノズルや店内の壁面、床面等に薬液が過剰に付着し、べたつき等を生じた。
また、噴霧された薬液の粒子径が不均一なため、処理空間内の隅々まで薬液が到達せず、潜伏しているゴキブリ等に対する殺虫効果も十分に発揮できない問題があった。
【０００４】
本発明は、上記問題点に鑑みてなされたものであり、その目的は薬液のべたつき等を生じさせることなく処理空間の隅々まで薬液を到達させることができ、尚且つ殺虫効果を十分に発揮することができる超音波式殺虫装置を提供することにある。
【０００５】
【課題を解決するための手段】
本発明は上記目的を達成するために、次の技術手段を講じたことを特徴とする。
すなわち、殺虫装置内の底部に取り付けられた超音波振動子の稼働により、前記殺虫装置内の薬液タンクから補充された薬液槽の液剤を微粒子化し、空間へ噴霧する装置において、前記微粒子化された前記液面の装置外への通り道となるダクトケース内部に、前記通り道が千鳥状となるようにして複数枚の遮蔽板を配置してなる構成とした。
【０００６】
この構成によれば、超音波振動子の稼働で生じた粒子は、直接装置外へ噴霧されることなく、各遮蔽板で形成された千鳥状の通り道内を浮遊しながら装置外へ吹き出される。また、通り道内を浮遊する粒子のうち、質量が大きい粗大粒子は途中で遮蔽板に衝突して液体状態となり、この遮蔽板を介して装置内に回収される。このため、装置外へ出る粒子は均一で、しかも微粒子のみが噴霧されることになる。
【０００７】
【発明の実施の形態】
以下、本発明の好適な実施形態を添付図面に基づいて詳細に説明する。なお、以下に述べる実施形態は、本発明の好適な具体例であるから技術的に好ましい種々の限定が付されているが、本発明の範囲は、以下の説明において特に本発明を限定する旨の記載がない限り、これらの実施形態に限られるものではないものである。
【０００８】
図１及び図２は本発明の一実施形態として示す超音波式殺虫装置の概略構成を示す縦断側面図及び斜視図で、図３は図１のＸ−Ｘ線拡大断面図である。
図１において、殺虫装置容器１１（以下、単に「容器１１」という）は、その内側における底の部分に薬液槽としての水槽１２が設けられている。また、水槽１２の上方には、ダクトケース１３が上下方向に延ばされた状態にして取り付けられているとともに、このダクトケース１３の直ぐ横に並んでタンク１４が脱着自在に装着されている。
【０００９】
一方、ダクトケース１３の下端における水槽１２内の底の部分には、この底の部分を貫通して超音波振動子１５が取り付けられている。この超音波振動子１５と容器１１との間にはシール用のゴムパッキン１６が装着され、このゴムパッキン１６で超音波振動子１５と容器１１との間が水密の状態に保たれている。
【００１０】
さらに詳述すると、タンク１４は、その中に薬剤としての液性殺虫剤１７を入れ、タンクキャップ１８を下に向けて水槽１２内に装着される。また、このタンク１４は、水槽１２内の液性殺虫剤１７が減少するとタンクキャップ１８を通して水槽１２内に液性殺虫剤１７を自動的に供給することができる構造になっている。
超音波振動子１５は、共振することにより水槽１２内に貯えられている液性殺虫剤１７を微粒子化させて霧状にする。
【００１１】
ダクトケース１３は、略円筒状に形成されている。このダクトケース１３は下側開口部が超音波振動子１５の周囲を囲って水槽１２内に浸けられた状態にして設置されている。一方、ダクトケース１３の上部開口部は容器１１の上面まで延ばされており、図２に示すように、その上部開口部には吹き出しノズル１９が装着されている。この吹き出しノズル１９は、その吹き出し口１９ａが斜めに形成されており、その傾斜方向へ薬液が噴霧されるようになっている。また、この吹き出しノズル１９は、ダクトケース１３に対して回動可能とされており、したがって、この吹き出しノズル１９を回動させることにより、吹き出し口１９ａから吹き出される薬液の吹き出し方向を変えることができるようになっている。
【００１２】
さらに、ダクトケース１３の側面には吸気口２０が設けられているとともに、この吸気口２０に連通して送風機２１が取り付けられている。この送風機２１は、ダクトケース１３内で超音波振動子１５により霧化された粒子を装置外に送り出すための風をダクトケース１３内に供給するためのものである。なお、符号２２はＡＣ電源に接続されるコンセントで、このコンセント２２を介して超音波振動子１５及び送風機２１に駆動用電流が供給される。
【００１３】
加えて、ダクトケース１３の内部には、図３にも示すように、３つの遮蔽板２３〜２５が取り付けられている。この各遮蔽板２３〜２５は、図４に単品として示すように、ダクトケース１３の内径と略等しい外径を有した円板で、かつ一部を切り欠いてなる切欠部２６を有する半円板として形成されている。その切欠部２６の大きさは、好ましくは、図４に示すように、切欠部２６までの長さをｄとすると、遮蔽板２３〜２５の最大外径Ｄ（これはダクトケース１３の内径に略等しい）の６分の５以上の長さで設定される。
【００１４】
そして、この３つの遮蔽板２３〜２５は、各々交互に反対側のダクトケース１３の内壁面から突出された状態にして、５〜１０mmの間隔で切欠部２６からなる端部を下方に１０〜２０゜の角度を有して取り付けられている。したがって、このようにして各遮蔽板２３〜２５が取り付けられているダクトケース１３では、真上からダクトケース１３内を覗き込んだとき、各遮蔽板２３〜２５で邪魔されて容器１１の底面は見えない（図３参照）。つまり、ダクトケース１３の内部にて、遮蔽板２３〜２５が平面視隙間なく各々交互に反対側の内壁面から突出している状態に取り付けられている。
【００１５】
また、このようにして各遮蔽板２３〜２５を設けたことにより、ダクトケース１３内に作られる霧化された微粒子の装置外への通り道２７は、どこをとっても千鳥状になる。さらに、最下位の遮蔽板２５は、薬液槽、すなわち水槽１２の液面から上方に５０〜１００mm離した位置に設置されている。
【００１６】
また、この超音波式殺虫装置には、その容器１１の周面に、複数の設定ボタン２８ａを有する設定部２８が設けられ、この設定部２８にて、各種の設定を行うことができるようになっている。つまり、この設定部２８によって、装置に内蔵された図示しないタイマーによる装置の稼動開始時刻や稼動時間等の設定を行うことができるようになっている。また、この設定部２８の上方側には、液晶板等からなる表示部２９が設けられており、この表示部２９に、各種設定事項、つまり、設定部２８によって設定された稼動開始時刻や稼動時間等が表示されるようになっている。
【００１７】
さらに、表示部１９の上方側には、パイロットランプ３０が設けられており、装置の稼動時に点灯し、装置が稼動中であることを知らせるようになっている。なお、このパイロットランプ３０によってタンク１４内の液性殺虫剤１７の残量等を知らせるようにしても良い。
なお、装置内には、図示しないブザー等の音声発生装置が設けられており、装置の稼動等を音声にて知らせるようになっている。また、このブザー等の音声発生装置によるアラーム機能は、超音波式殺虫装置の停止後の約１時間程度の所定時間持続するようになっており、装置の停止後所定時間内における入室禁止を促すようになっている。
【００１８】
このように、この超音波式殺虫装置は、稼動開始時間、稼動時間等を設定することができるので、装置の稼動を外出のタイミング等に合わせて適切な時間だけ無人にて行うことができる。また、パイロットランプ３０及び音声発生装置によって稼動状態を確認することができるので、装置の稼動中に処理空間内へむやみに立ち入るようなことも避けることができる。
【００１９】
次に、本実施形態装置の動作を説明する。まず、コンセント２２をＡＣ電源に差し込み、図示せぬ電源スイッチをオンにすると、設定部２８によって予め設定した設定条件（稼動開始時刻、稼動時間等）にて超音波式殺虫装置が作動する。つまり、タイマーによって、設定された稼動開始時刻になった時点から設定された稼動時間だけ装置が稼動される。なお、稼動開始時間、稼動時間の設定を行わず、装置の稼動を任意に行うこともできるのは勿論である。
【００２０】
装置が稼動すると、超音波振動子１５が共振し、水槽１２に貯えられている液性殺虫剤１７がダクトケース１３内で微粒子化されて霧状に舞い上げられる。この舞い上げられた微粒子は送風機２１により生起された風に乗せられ、遮蔽板２３〜２５で作られた千鳥状をした通り道２７を通って吹き出しノズル１９から装置外へ吹き出される。
【００２１】
すなわち、薬剤が噴霧される。このとき、ダクトケース１３内部の遮蔽板２３〜２５は、各々交互に反対側のダクトケース１３の内壁面から突き出すよう、適当な間隔及び角度を有して取り付けられているので、質量の大きい粗大粒子は浮遊が不安定なことから途中で遮蔽板２３〜２５に衝突し、吹き出しノズル１９まで到達できない。そして、遮蔽板２３〜２５に衝突した粗大粒子は液体状態となってダクトケース１３の内面を介して回収される。すなわち、ここでは粗大粒子は除かれ、良好に浮遊している微粒子だけが吹き出しノズル１９から装置外へ吹き出されることになる。
【００２２】
したがって、本実施形態装置によれば、ダクトケース１３内に遮蔽板２３〜２５を設けて微粒子の通り道２７を千鳥状にしたことによって、微粒子のみの略均一化された粒子が噴霧されることになる。これにより、吹き出しノズル（噴霧ノズル）１９及び室内の壁面、床面等におけるべたつきを防止することができる。また、噴霧された薬液の粒子径が均一なため、処理空間内の隅々まで薬液が到達し、殺虫効果が極めて高くなる。
なお、上記の例では、薬液として液性殺虫剤１７を噴霧する場合について説明したが、この装置によって、水や他の薬液、消臭剤、殺菌剤等を霧化させることもできる。
【００２３】
（試験例１）
霧化粒子の粒径について、本発明装置の場合と、ダクトケース１３内に遮蔽板が取り付けられていないＡ装置と、例えば図５に示すようにダクトケース１３内に遮蔽板３１，３２を直交するように取り付け、このダクトケース１３内を真上から覗き込んだときに底部が見える部分３３、すなわち一部に千鳥状とならない部分を有する構造としたＢ装置との場合を比較した結果は、表１の通りである。
【００２４】
【表１】
0003728379.tif 000002
0003728379.tif 000003
【００２５】
表１から明らかなように、本発明装置はＡ装置，Ｂ装置と比較して微粒子のみを均一に噴霧することが可能なため、吹き出しノズル（噴霧ノズル）及び室内の壁面、床面等におけるべたつきを防止することができる。また、噴霧された薬液の粒子径が均一なため、処理空間内の隅々まで薬液を到達させることができる。
【００２６】
（試験例２）
霧化粒子が室内に拡散する様子について、本発明装置の場合と、ダクトケース１３内に遮蔽板が取り付けられていないＡ装置と、例えば図５に示すようにダクトケース１３内に遮蔽板３１，３２を直交するように取り付け、このダクトケース１３内を真上から覗き込んだときに底部が見える部分３３、すなわち一部に千鳥状とならない部分を有する構造としたＢ装置との場合を比較した結果は、表２の通りである。
【００２７】
【表２】
0003728379.tif 000004
0003728379.tif 000005
【００２８】
表２から明らかなように、本発明装置は、Ａ装置，Ｂ装置と比較して霧化粒子を室内に均一に拡散させることができる。
【００２９】
（試験例３）
室内に生息するチャバネゴキブリの殺虫効果について、本発明装置の場合と、ダクトケース１３内に遮蔽板が取り付けられていないＡ装置と、例えば図５に示すようにダクトケース１３内に遮蔽板３１，３２を直交するように取り付け、このダクトケース１３内を真上から覗き込んだときに底部が見える部分３３、すなわち一部に千鳥状とならない部分を有する構造としたＢ装置を比較した結果は、表３の通りである。
【００３０】
【表３】
0003728379.tif 000006
0003728379.tif 000007
【００３１】
表３から明らかなように、本発明装置は、Ａ装置，Ｂ装置と比較して室内に生息するチャバネゴキブリに対して高い殺虫効果が見られた。
【００３２】
なお、上記実施形態は、以下のように変更しても良く、その場合でも本実施形態と同様の作用・効果を得る。
▲１▼遮蔽板２３〜２５の形状において、切欠部２６までの長さｄを、遮蔽板２３〜２５の直径Ｄの６分の５以上に設定した場合について説明したが、薬剤の通り道２７が千鳥状になるものであれば、これ以外の設定であっても良い。
▲２▼遮蔽板を３枚使用した構造を開示したが、枚数はダクトケース１３の長さや形状等に合わせて設定される。
▲３▼ゴキブリ（チャバネゴキブリ）退治に使用して殺虫効果が高い旨を説明したが、ゴキブリ退治に限ることなく、ダニ、ノミ等を退治する場合でも良く、広く一般の殺虫装置として使用できるものである。
【００３３】
【発明の効果】
以上説明したとおり、本発明によれば、装置外へ出る粒子は均一で、しかも微粒子のみが噴霧されることになるので、吹き出しノズル及び室内の壁面、床面等のべたつき等を防止することができる。また、噴霧された薬液の粒子径が均一なため、処理空間内の隅々まで薬液が到達し、例えばゴキブリ退治に使用するような場合でも殺虫効果が極めて高くなる、等の効果が期待できる。
【図面の簡単な説明】
【図１】  本発明の実施の形態の超音波式殺虫装置の概略構成を示す超音波式殺虫装置の縦断側面図である。
【図２】  本発明の実施の形態の超音波式殺虫装置の外観を示す超音波式殺虫装置の斜視図である。
【図３】  本発明の実施の形態の超音波式殺虫装置を構成するダクトケースの図１におけるＸ−Ｘ断面図である。
【図４】  本発明の実施の形態の超音波式殺虫装置のダクトケース内に設けられた遮蔽板の単品図である。
【図５】  本発明を適用していない装置の一例を示す図である。
【符号の説明】
１１  容器
１３  ダクトケース
１５  超音波振動子
１７  液性殺虫剤
１９  吹き出しノズル
２１  送風機
２３〜２５  遮蔽板
２７  通り道
【図１】
0003728379.tif 000008
【図２】
0003728379.tif 000009
【図３】
0003728379.tif 000010
【図４】
0003728379.tif 000011
【図５】
0003728379.tif 000012